(57)【要約】【課題】ガス滅菌可能な蓋材を容器本体に充分にシールして滅菌状態を確実に維持すると共に、蓋材の全体をきれいに剥がすことができるような医療用容器を提供する。【課題手段】医療用品類５を収納する容器本体１の開口部３の周縁に被着部となるフランジ部４を形成し、該容器本体の開口部を覆う蓋材１１を設ける。この蓋材１１は菌類の進入を防ぐと共に滅菌用ガスを通気させることができるシートで形成し、該シートは容器本体１のフランジ部４にシール１３し、密封してガス滅菌可能とする。上記シール１３は、そのシールの幅の中間部にシールの長手方向に沿って非シール部１４を設け、並行するシール帯１５、１５を形成して医療用品類を収納した医療用容器とする。【選択図】図２
0003184488.tif 000002
【実用新案登録請求の範囲】
【請求項１】
医療用品類を衛生的に収納する容器本体の開口部の周縁に被着部を形成し、該容器本体の開口部を覆う蓋材を設け、該蓋材は菌類の進入を防ぐと共に滅菌用ガスを通気させることができるシートで形成し、該シートを容器本体の被着部にシールし密封してガス滅菌可能とし、上記シールの幅の中間部にシールの長手方向に沿って非シール部を設けている医療用品類を収納した医療用容器。
【請求項２】
上記シールを非シール部を挟んで並行状態にある２本のシール帯によって形成している請求項１に記載の医療用容器。
【請求項３】
上記容器本体を熱可塑性プラスチックで形成し、開口部の周縁にフランジ部を設けて被着部としている請求項１または２に記載の医療用容器。
【請求項４】
上記シールはヒートシールによって形成されている請求項１〜３のいずれかに記載の医療用容器。
【請求項５】
上記蓋材には、該蓋材を被着部から引き剥がす際の手掛かりとなる摘み部が形成されている請求項１〜４のいずれかに記載の医療用容器。
【考案の詳細な説明】
【技術分野】
【０００１】
本考案は、容器内に収納した医療用品類を密封状態でガス滅菌して保持する医療用容器に関するものである。
【背景技術】
【０００２】
滅菌操作を施す医療用品類の収納容器においては、医療用品類を収納して密封した容器内を滅菌した後で、その滅菌状態を確実に維持することができるような密封状態を保つことが要求されるが、それと同時に、使用に当たって容器を封止している蓋材を破損することなくスムーズに開封し、容器内に衛生的に収納されている医療用品を容易かつ確実に取出すことも求められる。
【０００３】
一般的に易開封性を求める容器としては、プラスチック製の開口容器のフランジ部をヒートシール部としてプラスチックフイルムで封止するものであって、上記フランジ部の全周に亘ってヒートシール部の一部に低い突条を設け、この突条部により、他のヒートシール部よりもシール強度の強い部分を少なくして、剥離を容易にするものが提案されている（特許文献１）。
【０００４】
しかしながら、本考案の如き滅菌処理をする医療用容器においては、蓋材を密封した後にガス滅菌を行うことができることが必要であるし、滅菌後においてはその滅菌状態を確実に維持することは絶対的な要求事項であることから、シールの確実性を求めることにより易剥離性が往々にして犠牲にされることが見られる。
【０００５】
すなわち、ガス滅菌を行うことができる蓋材は、エチレンオキサイドなどの滅菌用のガスを通過させることができる一方で、菌類を通過させないことが必要であるので、通常、紙類が使用され、収納容器にシールするためにシール剤を塗布し、これによって収納用容器にヒートシールで貼付けてから滅菌を行っている。そして、上記の滅菌状態を確実に維持する為に、蓋材は容器本体に所要の幅をもって確実にヒートシールされている。
【０００６】
こうして、しっかりとヒートシールされたものでは、図５に示すように、使用に当たって蓋材３１を摘んで剥がしたときに、シール３２の部分の接着力が強い為に、例えば、蓋材３１の紙類が途中で破れてしまい、一部が収納容器３３に貼り付いたまま残ってしまって、収納容器３３内に収納されている医療用品類３４を容易に取出し難く、使い勝手が悪くて、体裁も良くないことが多く見られる。
【０００７】
そこで、収納容器から蓋材を剥がすときに蓋材が破れてしまう原因について調べて行ったところ、シール強度が強い為に、蓋材を形成している紙類などが層間剥離を起してしまい、これによって破れ現象が起っていることが判った。
この層間剥離をおこしている状態をみると、シールされている蓋材は、最初はスムーズに剥がれているが、剥ぎ取りの途中であったり、終盤においてシール幅のほぼ中央部分において引き剥がし作用が止まってしまい、それに伴って紙類が層間剥離を起して、遂には蓋材が破れてしまうことが多く見られた。
【先行技術文献】
【特許文献】
【０００８】
【特許文献１】特開２００３−５４６３４号公報
【考案の概要】
【考案が解決しようとする課題】
【０００９】
本考案は、ガス滅菌を行うことができる蓋材を容器本体に充分にシールすることによって滅菌状態を確実に維持すると共に、こうして貼付した蓋材が途中で破れることなく、全体をきれいに引き剥がすことができるようなものを提供しようとするものである。
【課題を解決するための手段】
【００１０】
本考案は、医療用品類を衛生的に収納する容器本体の開口部の周縁に被着部を形成し、該容器本体の開口部を覆う蓋材を設ける。この蓋材は菌類の進入を防ぐと共に滅菌用ガスを通気させることができるシートで形成し、該シートは容器本体の被着部にシールし密封してガス滅菌可能とする。そして、上記シールは、そのシールの幅の中間部にシールの長手方向に沿って非シール部を設けるようにして医療用品類を収納した医療用容器とするものである。
また、上記容器本体は熱可塑性プラスチックで形成し、開口部の周縁にフランジ部を設けて被着部とすることができる。
【考案の効果】
【００１１】
本考案によれば、容器本体に蓋材を確実にシールすることができて、蓋材を通してガス滅菌した滅菌状態を確実に保持することができると共に、使用に当たって蓋材を剥がすときにも蓋材が破れることもなく、シールの全体を綺麗に剥ぎ取りながら開封することができる。
【図面の簡単な説明】
【００１２】
【図１】本考案の実施例を示す医療用容器の斜視図である。
【図２】図１に示すものの蓋体の一部を剥がした状態の平面図である。
【図３】図１に示すものの拡大断面図である。
【図４】図１に示すものの蓋体を剥がした状態の説明図である。
【図５】従来の医療用容器の一例を示す蓋体を剥がした状態の説明図である。
【考案を実施するための形態】
【００１３】
容器本体１は、菌類を通過させない衛生的な適宜の材料で形成されるが、通常、成形可能な熱可塑性プラスチックを使用して成形するとよく、例えば、ポリエチレン、ポリプロピレン、ポリスチレンや、エチレン・ビニル共重合体とのラミネート体、その他のラミネート体など各種のプラスチックを使用することができる。こうした容器本体は、使用後において処分することが容易なように焼却可能なプラスチックで作ると好ましいことが多い。
【００１４】
この容器本体１は適宜の大きさ、形状に形成されるが、収納部２の開口部３の周縁には被着部となるフランジ部４を設けており、収納部２には、各種の治療に応じた、例えば、カット綿、パッド、綿球、綿棒、綿ガーゼ、不織布ガーゼ、止血用パッド付き絆創膏、カテーテル固定用粘着テープ、フイルムドレッシング材、ディスポーザブルなピンセットや防水シートその他の医療用品類５が収納される。
図示するものでは、医療用品類５として綿棒６、スキンクロージャー７、ガーゼ８などが詰め合わされているが、対象とする治療の種類に応じてそれに相応しい医療用品類を収納することができる。
上記の如き医療用品類は、互いに混ざり合わず、適当に仕分けして収納するようにすると使い易く、そのために容器本体に適宜の仕切り部９を設けるようにするとよい。
【００１５】
こうした容器本体１は、適宜の方法で作ることができるが、熱可塑性プラスチックの場合、通常、真空成形、射出成形、真空・圧空成形、ブロー成形など適宜の方法によって形成することができる。
図示するものは、ポリプロピレンシートを使用して真空成形により上記収納部２、フランジ部４、仕切り部９を一体に成形している。
【００１６】
上記の如く必要な医療用品類５を収納した容器本体１の開口部３は、蓋材１１によって覆われ、蓋材１１がフランジ部４にシールされる。
この蓋材１１は、菌類を通過させないが、ガス滅菌する際の滅菌用ガスが通過できるような特性を有するもので形成されており、通常、紙類や不織布などが使用されている。
【００１７】
この蓋材１１をフランジ部４にシールするには、適宜の方法でシールすることができるが、ヒートシール方法によってシールするようにすると好ましい。蓋材１１がポリエチレン製の不織布のようなものであれば、そのままフランジ部４にヒートシールすることも可能であるが、紙類の場合には、そのままではヒートシールできないので、紙類の１面にヒートシール剤１２を塗布して蓋材にするとよい。このヒートシール剤１２は、適宜、格子状、線状、円状、枠状などのパターンコーティングその他により、上記した滅菌用ガスの通過を確保しつつフランジ部にシールして密封できるようにするとよい。
上記ヒートシール剤としては、従来から用いられている公知のものを使用することができる。例えば、ラテックス或いはアクリル樹脂を主成分として、必要な場合は無機系或いは有機系の充填剤、着色剤、粘着付与樹脂などを適宜配合したものなどを用いることができる。
【００１８】
容器本体１のフランジ部４と蓋材１１のシール１３は、そのシールの幅の中間部にシールの長さ方向に沿って非シール部１４を設けるようにする。この非シール部１４の幅は、通常、約０．５〜１．５ｍｍ程度とし、その両側に位置するシール帯１５、１５の各幅は約２〜４ｍｍ程度にするとよい。
図示するものでは、非シール部１４の幅を１ｍｍとし、両側のシール帯１５、１５の各幅を３．５ｍｍづつにしており、そのシール強度は、約１．０〜１．５Ｎ程度にすると、密封性もよく、引き剥がし性も良好となる。
上記シール帯１５、１５の幅は、両者の幅寸法を変えてもよいし、また、場合に応じて上記非シール部を複数本設けることもできる。
【００１９】
上記したシール１３において、非シール部１４とシール帯１５、１５を形成するには、非シール部１４に対応するような溝部を設けたシールバーやシールプレート（図示略）を使用して、ヒートシールを行うことにより容易に形成することができる。
また、別の態様として、蓋材１１へ処理するヒートシール剤を非シール部１４に対応するような塗布しない部分を有するパターンコーティングとすることにより、非シール部１４とシール帯１５、１５を形成することもできる。
【００２０】
この容器本体１に上記したように必要な医療用品類５を詰め、蓋材１１を被せてフランジ部４にヒートシールすることにより菌類が入らないように密封状態にする。こうして密封した状態で、エチレンオキサイドその他の滅菌用ガスで処理すると、滅菌用ガスは蓋材１１を透過して容器本体内に収納されている医療用品類５を滅菌し、密封している蓋材１１によって滅菌状態を維持することができる。
【００２１】
この医療用容器１６を使用する場合、蓋材１１には、被着部から引き剥がす際の手掛かりとなる摘み部１７が形成されているので、この摘み部１７を摘まんで引っ張るようにすると、フランジ部４の外側のシール帯１５が剥がされるが、その次には非シール部１４があるので、一旦引き剥がし抵抗が低下し、それに続いて内側のシール帯１５が改めて剥がされるようになる。
このように、シール１３の引き剥がしが連続的でなくなるので、全体として蓋材１１の引き剥がし抵抗を大幅に減少させた状態で剥ぎ取ることができ、蓋材が破れて、剥ぎ残しを作ることもなく、蓋材１１を容器本体１からきれいに剥ぎ取ることができるから、収納された滅菌状態に保持されている医療用品類５を容易に取り出して、治療などに使用することができる。
【００２２】
図示するものでは、容器本体１のフランジ部４に切欠部１８を設けるようにして蓋材１１の摘み部１７を設けており、この切欠部１８から突出している摘み部１７を容易に摘むことができるので、これが手掛かりとなって蓋材を一層容易に剥がすことができるようになる。
上記摘み部１７は、蓋材１１の端部の一部をフランジ部４にシールしないことによって形成することもでき、こうしたものでは、蓋材１１の大きさをフランジ部４とほぼ同じ形状とすることもできる。また、蓋材１１をフランジ部４よりやや大きく作ると、蓋材をどこからでも摘まんで開封することもできる。
上記容器本体は、治療が終ったら医療用品類５の廃棄用の受皿として使用することができ、適宜廃棄処分することができる。
【符号の説明】
【００２３】
１    容器本体
２    収納部
３    開口部
４    フランジ部
５    医療用品類
９    仕切り部
１１  蓋材  
１３  シール
１４  非シール部
１５  シール帯
１６  医療用容器
１７  摘み部
１８  切欠部
【図１】
0003184488.tif 000003
【図２】
0003184488.tif 000004
【図３】
0003184488.tif 000005
【図４】
0003184488.tif 000006
【図５】
0003184488.tif 000007